(57)【要約】【課題】  ノズルの供給管内に、供給しようとする流体そのものや流体に含まれる混入物などが停滞することなく流通でき、しかもノズルの洗浄が非常にし易くて保守や衛生管理を容易かつ確実に行うことができる流体充填装置用のノズルを提供する。【解決手段】  瓶等の容器に流体を充填するための流体充填装置用のノズルであって、流体を供給する供給路２と、同供給路２と並行し、流体の供給に伴って外部に排出される容器内の空気を外部に導出するための排気路３とを軸線方向に備え、これら供給路と排気路を囲む管壁４を同一材にて一体に形成した。【選択図】  図２
2008296913.tif 000002
【特許請求の範囲】
【請求項１】
瓶等の容器に流体を充填するための流体充填装置用のノズルであって、流体を供給する供給路と、同供給路と並行し、流体の供給に伴って外部に排出される容器内の空気を外部に導出するための排気路とを軸線方向に備え、これら供給路と排気路を囲む管壁を同一材にて一体に形成してなる流体充填装置用のノズル。
【請求項２】
前記供給路と排気路を、軸線に直交する断面において供給路が排気路を囲むように構成してなる請求項１に記載の流体充填装置用のノズル。
【請求項３】
前記管壁の内面において、内面を構成する異なる面どうしの全ての交差部分にアールを付してなる請求項１または２に記載の流体充填装置用のノズル。
【請求項４】
前記供給路と排気路の下端開口部の下方に臨み、前記供給路からの流体を拡散させる傾斜面を備えるとともに、軸線に対して流体の拡散方向とは反対側に前記排気路の開口を設けた先端チップ部を備えてなる請求項１乃至３に記載の流体充填装置用のノズル。
【請求項５】
前記先端チップ部を、前記供給路と排気路を有するノズルの本体部に同一材にて一体に形成してなる請求項４に記載の流体充填装置用のノズル。
【請求項６】
前記先端チップ部と、前記供給路と排気路を有するノズルの本体部とを別部材で構成し、これら先端チップ部とノズルの本体部とを嵌合せしめて一体に構成してなる請求項４に記載の流体充填装置用のノズル。
【発明の詳細な説明】
【技術分野】
【０００１】
本発明は、液体や粉体等の流体を瓶などの容器に充填する充填装置に装着されるノズルに関し、より詳しくは、充填する流体が流路をスムースに流れ、また、流路も洗浄し易くした流体充填装置用のノズルに関する。
【背景技術】
【０００２】
従来、瓶等の容器に入れて販売しているジュース等の飲料製品は、内容物たるジュース等の液体を、適宜の充填装置を用いて容器に充填している（例えば、特許文献１参照）。
【０００３】
そして充填の際には、充填装置に備える送液管を瓶等の容器体内にその注出口から挿入するとともに、同送液管の先端に配してあるノズルから液体を送出している。
【０００４】
また図６に示すように、送液管の先端に配しているノズル１１は、ジュース等の液体を供給するための供給管１２と、この供給管１２内に、前記液体の供給に伴って容器の外部に排気される容器内の空気を外部に導出するための排気管１３が設けられており、同排気管１３は、供給管１２内の内壁１２ａ面に寄せて溶接して設けられている。
【０００５】
このため、ジュースを瓶等の容器体に充填する場合には、ジュースの液体中に含まれる懸濁物や果肉等の混入物が、粉体を充填する場合には微細な粉が前記供給管１２内の内壁１２ａ面と排気管１３の外壁面が接触または近接する狭間部１４に停滞しやすく、そのまま長時間残留する恐れがあった。
【０００６】
またノズルを洗浄する際も、前記狭間部の洗浄が非常に困難で保守に時間と手間が掛かって煩雑となり、また狭間部に停滞している残留物を十分に除去できずに、同残留物を残したままでノズルが新たに使用される恐れもあり、特に食品工業や薬品工業における使用では、極めて高度に維持することが求められる衛生管理での深刻な問題があった。
【０００７】
【特許文献１】特開平５−２６２３８９号公報（第１〜９頁、図１〜１３）
【発明の開示】
【発明が解決しようとする課題】
【０００８】
本発明は、ノズルの供給管内に、供給しようとする流体そのものや流体に含まれる混入物などが停滞することなく流通でき、しかもノズルの洗浄が非常にし易くて保守や衛生管理を容易かつ確実に行うことができる流体充填装置用のノズルを提供できるようにした。
【課題を解決するための手段】
【０００９】
上述した課題を解決するために、本発明に係る流体充填装置用のノズルは、瓶等の容器に流体を充填するための流体充填装置用のノズルであって、流体を供給する供給路と、同供給路と並行し、流体の供給に伴って外部に排出される容器内の空気を外部に導出するための排気路とを軸線方向に備え、これら供給路と排気路を囲む管壁を同一材にて一体に形成したものとしてある。
【００１０】
また前記供給路と排気路を、軸線に直交する断面において供給路が排気路を囲むように構成したものとしてある。
【００１１】
また前記管壁の内面において、内面を構成する異なる面どうしの全ての交差部分にアールを付したものとしてある。
【００１２】
さらに前記供給路と排気路の下端開口部の下方に臨み、前記供給路からの流体を拡散させる傾斜面を備えるとともに、軸線に対して流体の拡散方向とは反対側に前記排気路の開口を設けた先端チップ部を備えたものとしてある。
【００１３】
また前記先端チップ部を、前記供給路と排気路を有するノズルの本体部に同一材にて一体に形成したものとしてある。
【００１４】
さらに前記先端チップ部と、前記供給路と排気路を有するノズルの本体部とを別部材で構成し、これら先端チップ部とノズルの本体部とを嵌合せしめて一体に構成したものとしてある。
【発明の効果】
【００１５】
本発明の流体充填装置用のノズルによれば、供給路と排気路を囲む管壁を一体に形成し、またノズルの管壁内面を構成する異なる面どうしの全ての交差部分をアールとするので、例えば容器にジュース等の液体を充填する場合であっても、ジュース等の流体そのものや、また果肉等の混入物や懸濁物がノズルの供給管内に停滞することなく流通できる。
【００１６】
またノズルを洗浄する際も、ノズルの管壁内面を構成する異なる面どうしの全ての交差部分にアールを付しているため管路内が滑らかであり、したがって洗浄の際にこの洗浄水が管内全体に行き渡り、またブラシ等によって管内を洗浄する場合も、ノズルの管壁内面に角部がないので必要に応じてブラシなどの洗浄用具を用いて管内全体をむらなく清掃できるので、洗浄を容易かつ確実に行うことができる。
【００１７】
そして、特に供給路と排気路を有するノズル本体部と先端チップ部とを同一材にて一体に構成してあるものでは、残留物の付着のおそれがより一層低減され、しかも洗浄容易性も格段に向上し、もって厳密な衛生管理に資することができる。
【発明を実施するための最良の形態】
【００１８】
以下、本発明の流体充填装置用のノズルを添付図面に基づいて説明する。
ノズル１は、図１に示すように、本体部１ａと先端チップ部６からなっていて、また図５に示すように、流体充填装置（図示は省略）に備える送液管１０に接続している。
【００１９】
本体部１ａには、図２に示すように、ジュース等の液体や、粉末等の粉体また顆粒等の粒体を供給するための供給路２と、これら流体の供給に伴って外部に排出される容器内の空気を外部に導出するための排気路３を設けている。
【００２０】
また供給路２と排気路３を囲む管壁４を、前記流体が有する性質に適応する耐食性などの性質を有する素材、例えばステンレス鋼によって同一材にて一体に形成してある。
【００２１】
そして供給路２を、排気路３の一部を囲むように配置し、供給路の断面積を排気路の断面積よりも大となるようにしてあり、供給路２内を流通できる流体の量が大となるように構成してある。
【００２２】
しかしながら、供給路２内を流通する流体の量が少でよい場合は、図示は省略したが、断面において供給路２を、排気路３側に略直線部が位置する半月状を呈する形状に構成する場合もある。
【００２３】
さらにノズル１の管壁４内面において、異なる面どうしの交差部分はアール部５としていて、供給路２を流通する流体が停滞しにくいようにしている。
【００２４】
また、ノズル１の本体部１ａにおける供給路２と排気路３の配置を、図３に示すように、流体の供給に伴って外部に排出される容器内の空気を外部に導出するための排気路３を中央に配置し、この排気路３を取り囲むようにしてジュース等の液体や、粉末等の粉体や顆粒等の粒体を供給するための供給路２を２本配置する場合もある。
【００２５】
この図３に示す形態のものは、排気路３を取り囲む両方の供給路２に同じものを流通させたり、あるいは別々の流体を流通させて容器内で混合されるように構成したりする場合もあり、また供給路を３つ以上としたり、排気路３を２つ以上としたりする場合もある。
【００２６】
前記先端チップ部６は、一側に前記供給路２からの流体を拡散させる傾斜面９を備え、また傾斜面９側の供給路開口７と反対側に排気路開口８を設けてあって、傾斜面から供給される流体が排気路から排出されないように構成してある。
【００２７】
この先端チップ部６は、図１に示すようにノズル１の本体部１ａと同一材にて一体に形成する場合もあるし、図４に示すように、本体部１ａとは別部材として製作し、製造時にこれらを嵌合して組み立てるようにする場合もある。
【図面の簡単な説明】
【００２８】
【図１】本発明に係る流体充填装置用のノズルの一例を示す側面図。
【図２】図１中に示すＡ−Ａ部分の断面図。
【図３】ノズル管内の供給路と排気路における他の配置形態を示す断面図。
【図４】ノズル本体部と先端チップ部を別部材で構成したノズルの一例を示す側面図。
【図５】ノズルを送液管と接続した状態を示す側面図。
【図６】従来のノズル管内における供給路と排気路の配置形態を示す断面図。
【符号の説明】
【００２９】
１  ノズル
１ａ  本体部
２  供給路
３  排気路
４  管壁
５  アール部
６  先端チップ部
７  供給路開口
８  排気路開口
９  傾斜面
１０  送液管
１１  ノズル
１２  供給管
１２ａ  内壁
１３  排気管
１４  狭間部
【図１】
2008296913.tif 000003
【図２】
2008296913.tif 000004
【図３】
2008296913.tif 000005
【図４】
2008296913.tif 000006
【図５】
2008296913.tif 000007
【図６】
2008296913.tif 000008